(57)【特許請求の範囲】
【請求項１】
物体側から順に、正の屈折力を有する第１レンズ群Ｇ１、負の屈折力を有する第２レンズ群Ｇ２、正の屈折力を有する第３レンズ群Ｇ３で構成され、前記第１レンズ群Ｇ１は、物体側から順に、第１ａレンズ群Ｇ１ａと正の屈折力を有する第１ｂレンズ群Ｇ１ｂとから成り、開口絞りＳは前記第１ｂレンズ群Ｇ１ｂ内のレンズとレンズとの間にあり、前記第１ａレンズ群Ｇ１ａと前記第１ｂレンズ群Ｇ１ｂとを分ける位置は、前記開口絞りＳより物体側に配置される像側に凹面を向けたアッベ数ν１ａｍｉとする媒質を用いた負の屈折力のレンズＬ１ａｍｉと、Ｌ１ａｍｉより像側に配置される物体側に凸面を向けた屈折率をＮ１ｂｐｊとする媒質を用いた正の屈折力のレンズＬ１ｂｐｊの中で最も物体側にあるレンズＬ１ｂｐ１との間にあり、前記１ａレンズ群Ｇ１ａの最も像側のレンズはレンズＬ１ｂｐ１に最も近く像側にレンズが接合されないＬ１ａｍｉであり、第１ｂレンズ群Ｇ１ｂには物体側を負レンズとし像側を正レンズとする接合レンズを２つ以上有し、その接合レンズの像側の正レンズのアッベ数の平均値をν１ｂｐとし、無限遠物体から近距離物体への合焦の際に、第１レンズ群Ｇ１と第３レンズ群Ｇ３は像面に対し固定であり、前記第２レンズ群Ｇ２が像面側へ移動する構成となっており、以下の条件式を満足することを特徴とする大口径比レンズ。
（１）    ６０．０    ＜    ν１ａｍｉ
（２）    １．７６    ＜    Ｎ１ｂｐｊ
（３）    ４０．０    ＜    ν１ｂｐ    ＜    ８５．０
（６）    ０．１５    ＜    ＤＳ−２    ／    ＤＳ−Ｉ    ＜    ０．５５
ν１ａｍｉ    ：    前記レンズＬ１ａｍｉに用いられた媒質のｄ線（波長λ＝５８７．５６ｎｍ）に対するアッベ数。（ｉは任意の数、物体側から１，２，３，，，）
Ｎ１ｂｐｊ    ：    前記レンズＬ１ｂｐｊに用いられた媒質のｄ線（波長λ＝５８７．５６ｎｍ）に対する屈折率。（ｊは任意の数、物体側から１，２，３，，，）
ν１ｂｐ    ：    前記第１ｂレンズ群Ｇ１ｂ内に物体側を負レンズとし像側を正レンズとする接合レンズの像側の正レンズのアッベ数の平均値。
ＤＳ−２：無限遠合焦時の絞りから第２レンズ群Ｇ２先頭面までの距離。
ＤＳ−Ｉ：無限遠合焦時の絞りから像面までの距離。
【請求項２】
前記第１ｂレンズ群Ｇ１ｂ内にはアッベ数をν１ｂｐａｋとする媒質を用いた正レンズＬ１ｂｐａｋを有し、以下の条件を満足することを特徴とする請求項１記載の大口径比レンズ。
（４）  ６０．０  ＜  ν１ｂｐａｋ
ν１ｂｐａｋ：前記第１ｂレンズ群Ｇ１ｂ内にある正レンズＬ１ｂｐａｋに用いられた媒質のｄ線（波長λ＝５８７．５６ｎｍ）に対するアッベ数。（ｋは任意の数、物体側から１，２，３，，，）
【請求項３】
以下の条件を満足することを特徴とする請求項１乃至２記載の大口径比レンズ。
（５）    １．００    ＜    ＥＸＰ    ／    ｆ    ＜    ２５．００
（７）    ０．４５    ＜    Ｄ１−１    ／    ＬＴ    ＜    ０．７５
ＥＸＰ    ：無限遠合焦時の射出瞳位置から像面までの距離。
ｆ    ：無限遠合焦時の全系の焦点距離。
Ｄ１−１：無限遠合焦時の第１レンズ群Ｇ１先頭面から第１レンズ群Ｇ１最終面までの距離。
ＬＴ：レンズ全長。無限遠合焦時の第1レンズ群の最も物体側のレンズ面から像面までの長さ。
【請求項４】
以下の条件を満足することを特徴とする請求項１乃至３記載の大口径比レンズ。
（８）  ０．２１  ＜  Ｙｆ１−１  ／  ｆ１  ＜  ０．５５
（９）  ０．４０  ＜  ＤＹＦ１  ／  ｆ１  ＜  ５．１０
ＹＦ１−１    ：無限遠合焦時の第1レンズ群の最も物体側の面のＦｎｏ光線高。
ＤＹＦ１  ：無限遠合焦時の第1レンズ群の中でＦｎｏ光線高が最も高いレンズ面と最も低いレンズ面の光軸上の距離。
ｆ１  ：前記第１レンズ群Ｇ１の焦点距離。
【請求項５】
以下の条件を満足することを特徴とする請求項１乃至４記載の大口径比レンズ。
（１０）  ０．５０  ＜  ｆ１ｂ  ／  ｆ  ＜  ３．００
（１１）  ０．４５  ＜  ｆ１  ／  ｆ  ＜  ２．００
（１２）  １．００  ＜  ｜ｆ２  ／  ｆ｜  ＜  ６．００
（１３）  ０．８０  ＜  ｆ３  ／  ｆ  ＜  ５．５０
（１４）  ０．４０  ＜  ｜Ｒ１ｍ  ／  ｆ｜  ＜  ２．００
ｆ１ｂ  ：前記第１ｂレンズ群Ｇ１ｂの焦点距離。
ｆ２  ：前記第２レンズ群Ｇ２の焦点距離。
ｆ３  ：前記第３レンズ群Ｇ３の焦点距離。
Ｒ１ｍ  ：前記第１ａレンズ群Ｇ１ａにあるレンズの中の像側に向いた凹面の中で最も小さい曲率半径。
【請求項６】
前記第３レンズ群Ｇ３は、物体側から順に物体側に凸面を有するレンズＬ３ａ、像側に凹面を有するレンズＬ３ｂ、正の屈折力を有するレンズＬ３ｃを有し、以下の条件を満足することを特徴とする請求項１乃至５記載の大口径比レンズ。
（１５）  ０．４０  ＜  Ｒ３ａ  ／  ｆ  ＜  ８．００
Ｒ３ａ  ：前記レンズＬ３ａの物体側にある凸面の曲率半径。
【発明の詳細な説明】
【技術分野】
【０００１】
本発明はデジタルカメラ、ビデオカメラ等の撮像装置に用いられる大口径比レンズに関するものである。
【背景技術】
【０００２】
近年、レンズ交換式カメラでは静止画撮影だけではなく動画撮影も手軽に行う事ができるようになり動画撮影の需要も大きくなっている。その中で動画撮影に適した交換レンズが好まれてきている。
【０００３】
その中で大口径比レンズは被写界深度の浅さを利用した描写を表現手法として用いることもある。Ｆ１．４よりもＦ値の大きい交換レンズは数多く提供されているが被写界深度を更に浅くするためにＦ１．２よりもＦ値の小さい交換レンズが望まれる。
【０００４】
また、動画撮影に適した条件としてはフォーカスレンズが軽量である事が好ましい。そのためＦナンバーが小さく、フォーカスレンズが軽量である動画撮影に適した大口径比レンズが望まれる。
【０００５】
動画撮影に適したフォーカスレンズが軽量である大口径比レンズとしては、以下の特許文献が開示されている。
【０００６】
特許文献１では、レンズ系を物体側から順に正の屈折力の第１レンズ群、開口絞り、正の屈折力の第２レンズ群で構成し、第２レンズ群中に含まれる負の屈折力を有する単レンズによりフォーカシングを行っており、レンズ系を少ないレンズ枚数で構成しながら各収差の補正が良好になされ、且つフォーカスの移動量が少なく、フォーカス群重量の軽いインナーフォーカスレンズが達成できるとしている。
【０００７】
特許文献２では広画角でありながら、明るく小型で、良好な結像性能を有するインナーフォーカスレンズ系ができるとしている。
【０００８】
特許文献３では正のパワーを有する第１レンズ群と、パワーを有する第２レンズ群とを備え、第２レンズ群内のレンズ素子１枚でフォーカシングを行うことにより、高速フォーカシングが容易であるとしている。
【０００９】
特許文献４では正屈折力を有する前側レンズ群と負屈折力を有する１枚のフォーカスレンズと正屈折力を有する後側レンズ群からにより、大口径でありながらフォーカスレンズが軽量化された小型な広角レンズを開示している。
【先行技術文献】
【特許文献】
【００１０】
【特許文献１】特開２０１２−２２０６５４号公報
【特許文献２】特開２０１３−１３０６６９号公報
【特許文献３】特開２０１５−１４６０１５号公報
【特許文献４】特開２０１６−００９１７０号公報
【発明の概要】
【発明が解決しようとする課題】
【００１１】
特許文献１については、フォーカスレンズが十分に軽量ではあるがＦ１．４程度までしか大口径化されておらず、Ｆ１．２程度にＦナンバーを小さくした場合に収差補正が困難であり不適である。特許文献２については、フォーカスレンズが十分に軽量ではあるもののＦ１．７程度までしか大口径化されておらず、Ｆ１．２程度にＦナンバーを小さくした場合に収差補正が困難であり不適である。特許文献３については、フォーカスレンズが十分に軽量であるが、画角を広げた際の収差補正が困難であり不適である。特許文献４については、フォーカスレンズが十分に軽量であり、イメージサークルも広いため収差補正に余裕があるが、フォーカス時の像倍率変動が大きく動画撮影に不適である。開口絞りの位置を物体側に置けば像倍率変動を小さくすることを見込めるが、絞り込み時の像面湾曲が起こるため収差補正が困難であり不適である。またＦ１．４程度までしか大口径化されておらず、Ｆ１．２程度にＦナンバーを小さくした場合に収差補正が困難であり不適である。
【００１２】
本発明はこのような状況に鑑みてなされたものであり、ＦナンバーがＦ１．４よりも小さく、フォーカスレンズが軽量である動画撮影に適した大口径比レンズを提供することを目的とする。
【課題を解決するための手段】
【００１３】
前述の課題を解決するための第１の発明は、物体側から順に、正の屈折力を有する第１レンズ群Ｇ１、負の屈折力を有する第２レンズ群Ｇ２、正の屈折力を有する第３レンズ群Ｇ３で構成され、前記第１レンズ群Ｇ１は、物体側から順に、第１ａレンズ群Ｇ１ａと正の屈折力を有する第１ｂレンズ群Ｇ１ｂとから成り、開口絞りＳは前記第１ｂレンズ群Ｇ１ｂ内のレンズとレンズとの間にあり、前記第１ａレンズ群Ｇ１ａと前記第１ｂレンズ群Ｇ１ｂとを分ける位置は、前記開口絞りＳより物体側に配置される像側に凹面を向けたアッベ数ν１ａｍｉとする媒質を用いた負の屈折力のレンズＬ１ａｍｉと、Ｌ１ａｍｉより像側に配置される物体側に凸面を向けた屈折率をＮ１ｂｐｊとする媒質を用いた正の屈折力のレンズＬ１ｂｐｊの中で最も物体側にあるレンズＬ１ｂｐ１との間にあり、前記１ａレンズ群Ｇ１ａの最も像側のレンズはレンズＬ１ｂｐ１に最も近く像側にレンズが接合されないＬ１ａｍｉであり、第１ｂレンズ群Ｇ１ｂには物体側を負レンズとし像側を正レンズとする接合レンズを２つ以上有し、その接合レンズの像側の正レンズのアッベ数の平均値をν１ｂｐとし、無限遠物体から近距離物体への合焦の際に、第１レンズ群Ｇ１と第３レンズ群Ｇ３は像面に対し固定であり、前記第２レンズ群Ｇ２が像面側へ移動する構成となっており、以下の条件式を満足することを特徴とする大口径比レンズ。
（１）    ６０．０    ＜    ν１ａｍｉ
（２）    １．７６    ＜    Ｎ１ｂｐｊ
（３）    ４０．０    ＜    ν１ｂｐ    ＜    ８５．０
（６）    ０．１５    ＜    ＤＳ−２    ／    ＤＳ−Ｉ    ＜    ０．５５
ν１ａｍｉ    ：    前記レンズＬ１ａｍｉに用いられた媒質のｄ線（波長λ＝５８７．５６ｎｍ）に対するアッベ数。（ｉは任意の数、物体側から１，２，３，，，）
Ｎ１ｂｐｊ    ：    前記レンズＬ１ｂｐｊに用いられた媒質のｄ線（波長λ＝５８７．５６ｎｍ）に対する屈折率。（ｊは任意の数、物体側から１，２，３，，，）
ν１ｂｐ    ：    前記第１ｂレンズ群Ｇ１ｂ内に物体側を負レンズとし像側を正レンズとする接合レンズの像側の正レンズのアッベ数の平均値。
ＤＳ−２：無限遠合焦時の絞りから第２レンズ群Ｇ２先頭面までの距離。
ＤＳ−Ｉ：無限遠合焦時の絞りから像面までの距離。
【００１４】
第２の発明は、前記第１ｂレンズ群Ｇ１ｂ内にはアッベ数をν１ｂｐａｋとする媒質を用いた正レンズＬ１ｂｐａｋを有し、以下の条件を満足することを特徴とする大口径比レンズとした。
（４）  ６０．０  ＜  ν１ｂｐａｋ
ν１ｂｐａｋ：前記第１ｂレンズ群Ｇ１ｂ内にある正レンズＬ１ｂｐａｋに用いられた媒質のｄ線（波長λ＝５８７．５６ｎｍ）に対するアッベ数。（ｋは任意の数、物体側から１，２，３，，，）
【００１５】
第３の発明は、以下の条件を満足することを特徴とする大口径比レンズとした。
（５）    １．００    ＜    ＥＸＰ    ／    ｆ    ＜    ２５．００
（７）    ０．４５    ＜    Ｄ１−１    ／    ＬＴ    ＜    ０．７５
ＥＸＰ    ：無限遠合焦時の射出瞳位置から像面までの距離。
ｆ    ：無限遠合焦時の全系の焦点距離。
Ｄ１−１：無限遠合焦時の第１レンズ群Ｇ１先頭面から第１レンズ群Ｇ１最終面までの距離。
ＬＴ：レンズ全長。無限遠合焦時の第1レンズ群の最も物体側のレンズ面から像面までの長さ。
【００１６】
第４の発明は、以下の条件を満足することを特徴とする大口径比レンズとした。
（８）  ０．２１  ＜  ＹＦ１−１  ／  ｆ１  ＜  ０．５５
（９）  ０．４０  ＜  ＤＹＦ１  ／  ｆ１  ＜  ５．１０
ＹＦ１−１    ：無限遠合焦時の第1レンズ群の最も物体側の面のＦｎｏ光線高。
ＤＹＦ１  ：無限遠合焦時の第1レンズ群の中でＦｎｏ光線高が最も高いレンズ面と最も低いレンズ面の光軸上の距離。
ｆ１  ：前記第１レンズ群Ｇ１の焦点距離。
【００１７】
第５の発明は、以下の条件を満足することを特徴とする大口径比レンズとした。
（１０）  ０．５０  ＜  ｆ１ｂ  ／  ｆ  ＜  ３．００
（１１）  ０．４５  ＜  ｆ１  ／  ｆ  ＜  ２．００
（１２）  １．００  ＜  ｜ｆ２  ／  ｆ｜  ＜  ６．００
（１３）  ０．８０  ＜  ｆ３  ／  ｆ  ＜  ５．５０
（１４）  ０．４０  ＜  ｜Ｒ１ｍ  ／  ｆ｜  ＜  ２．００
ｆ１ｂ  ：前記第１ｂレンズ群Ｇ１ｂの焦点距離。
ｆ２  ：前記第２レンズ群Ｇ２の焦点距離。
ｆ３  ：前記第３レンズ群Ｇ３の焦点距離。
Ｒ１ｍ  ：前記第１ａレンズ群Ｇ１ａにあるレンズの中の像側に向いた凹面の中で最も小さい曲率半径。
【００１８】
第６の発明は、前記第３レンズ群Ｇ３は、物体側から順に物体側に凸面を有するレンズＬ３ａ、像側に凹面を有するレンズＬ３ｂ、正の屈折力を有するレンズＬ３ｃを有し、以下の条件を満足することを特徴とする大口径比レンズとした。
（１５）  ０．４０  ＜  Ｒ３ａ  ／  ｆ  ＜  ８．００
Ｒ３ａ  ：前記レンズＬ３ａの物体側にある凸面の曲率半径。
【発明の効果】
【００１９】
本発明により、ＦナンバーがＦ１．４よりも小さく、フォーカスレンズが軽量である動画撮影に適した大口径比レンズを提供することができる。
【図面の簡単な説明】
【００２０】
【図１】本発明の実施例１のレンズ構成図である。
【図２】本発明の実施例１の撮影距離無限遠における縦収差図である。
【図３】本発明の実施例１の撮影距離３００ｍｍにおける縦収差図である。
【図４】本発明の実施例１の撮影距離無限遠における横収差図である。
【図５】本発明の実施例１の撮影距離３００ｍｍにおける横収差図である。
【図６】本発明の実施例２のレンズ構成図である。
【図７】本発明の実施例２の撮影距離無限遠における縦収差図である。
【図８】本発明の実施例２の撮影距離３００ｍｍにおける縦収差図である。
【図９】本発明の実施例２の撮影距離無限遠における横収差図である。
【図１０】本発明の実施例２の撮影距離３００ｍｍにおける横収差図である。
【図１１】本発明の実施例３のレンズ構成図である。
【図１２】本発明の実施例３の撮影距離無限遠における縦収差図である。
【図１３】本発明の実施例３の撮影距離３００ｍｍにおける縦収差図である。
【図１４】本発明の実施例３の撮影距離無限遠における横収差図である。
【図１５】本発明の実施例３の撮影距離３００ｍｍにおける横収差図である。
【図１６】本発明の実施例４のレンズ構成図である。
【図１７】本発明の実施例４の撮影距離無限遠における縦収差図である。
【図１８】本発明の実施例４の撮影距離３００ｍｍにおける縦収差図である。
【図１９】本発明の実施例４の撮影距離無限遠における横収差図である。
【図２０】本発明の実施例４の撮影距離３００ｍｍにおける横収差図である。
【図２１】本発明の実施例５のレンズ構成図である。
【図２２】本発明の実施例５の撮影距離無限遠における縦収差図である。
【図２３】本発明の実施例５の撮影距離３００ｍｍにおける縦収差図である。
【図２４】本発明の実施例５の撮影距離無限遠における横収差図である。
【図２５】本発明の実施例５の撮影距離３００ｍｍにおける横収差図である。
【図２６】本発明の実施例６のレンズ構成図である。
【図２７】本発明の実施例６の撮影距離無限遠における縦収差図である。
【図２８】本発明の実施例６の撮影距離２００ｍｍにおける縦収差図である。
【図２９】本発明の実施例６の撮影距離無限遠における横収差図である。
【図３０】本発明の実施例６の撮影距離２００ｍｍにおける横収差図である。
【図３１】本発明の実施例７のレンズ構成図である。
【図３２】本発明の実施例７の撮影距離無限遠における縦収差図である。
【図３３】本発明の実施例７の撮影距離３５０ｍｍにおける縦収差図である。
【図３４】本発明の実施例７の撮影距離無限遠における横収差図である。
【図３５】本発明の実施例７の撮影距離３５０ｍｍにおける横収差図である。
【図３６】本発明の実施例８のレンズ構成図である。
【図３７】本発明の実施例８の撮影距離無限遠における縦収差図である。
【図３８】本発明の実施例８の撮影距離３００ｍｍにおける縦収差図である。
【図３９】本発明の実施例８の撮影距離無限遠における横収差図である。
【図４０】本発明の実施例８の撮影距離３００ｍｍにおける横収差図である。
【発明を実施するための形態】
【００２１】
本発明の大口径比レンズは、図１に示す構成図からわかるように、物体側から順に、正の屈折力を有する第１レンズ群Ｇ１、負の屈折力を有する第２レンズ群Ｇ２、正の屈折力を有する第３レンズ群Ｇ３で構成され、前記第１レンズ群Ｇ１内に開口絞りＳがあり、無限遠物体から近距離物体への合焦の際に、第１レンズ群Ｇ１と第３レンズ群Ｇ３は像面に対し固定であり、前記第２レンズ群Ｇ２が像面側へ移動する構成となっている。
【００２２】
本発明の大口径比レンズは、正の屈折力の第１レンズ群Ｇ１において全系の収差補正を良好に行うため、レンズ枚数を後の群よりも多く持たせることによって、収差補正の自由度を高くする事が必要となる。さらに、正の屈折力の第１レンズ群Ｇ１の像面側に配置された負の屈折力の第２レンズ群Ｇ２をフォーカスレンズ群とすることで第２レンズ群Ｇ２の径を第１レンズ群Ｇ１よりも小さくする事ができ、レンズ重量の軽量化を行う事ができる。さらに、負の屈折力の第２レンズ群Ｇ２の像面側に正の屈折力の第３レンズ群Ｇ３を配置する事でフォーカシング時の収差変動を抑える事ができる。また、開口絞りＳは第１レンズ群Ｇ１内のレンズの間に配置する事によりフォーカスレンズ群が光軸上を移動した際の像倍率の変化を抑える事ができる。
【００２３】
また本発明の大口径比レンズにおいて、前記第１レンズ群Ｇ１は、物体側から順に第１ａレンズ群Ｇ１ａと正の屈折力を有する第１ｂレンズ群Ｇ１ｂとから成る。第１ａレンズ群Ｇ１ａと第１ｂレンズ群Ｇ１ｂとを分ける位置は、開口絞りＳより物体側に配置される像側に凹面を向けたアッベ数ν１ａｍｉとする媒質を用いた負の屈折力のレンズＬ１ａｍｉと、Ｌ１ａｍｉより像側に配置される物体側に凸面を向けた屈折率をＮ１ｂｐｊとする媒質を用いた正の屈折力のレンズＬ１ｂｐｊの中で最も物体側にあるレンズＬ１ｂｐ１との間である。すなわち、第１ａレンズ群Ｇ１ａの最も像側のレンズはＬ１ａｍｉのうち、最も像側に配置されたＬ１ａｍｉであり、第１ｂレンズ群Ｇ１ｂの先頭のレンズは、Ｌ１ｂｐ１か、または、Ｌ１ａｍｉのうち、最も像側に配置されたＬ１ａｍｉとＬ１ｂｐ１との間に配置されたレンズのうち、最も物体側のレンズである。開口絞りＳは第１ｂレンズ群Ｇ１ｂ内にあり、第１ｂレンズ群Ｇ１ｂは、物体側を負レンズとし像側を正レンズとする接合レンズを２つ以上有し、その接合レンズの像側の正レンズのアッベ数の平均値をν１ｂｐとする構成となっている。
【００２４】
また前記第１ａレンズ群Ｇ１ａにおいて、負の屈折力のレンズＬ１ａｍｉを用いる事で倍率色収差の補正を良好に行う事が出来る。また前記正の屈折力を有する第１ｂレンズ群Ｇ１ｂの物体側の近辺には高屈折率の媒質を用いた正の屈折力のレンズを用いる事でコマ収差、非点収差の補正を良好に行う事が出来る。
【００２５】
前記第１ｂレンズ群Ｇ１ｂ内に物体側を負レンズとし像側を正レンズとする接合レンズを２つ以上有することで、球面収差、コマ収差、非点収差の補正と前記第１ｂレンズ群Ｇ１ｂ内の製造誤差感度を低くする事ができ、更に色収差の補正を行う事ができる。
【００２６】
前記接合レンズ内の正レンズのうち一つ以上はアッベ数が６０以上の媒質を有している事が望ましく、更に前記接合レンズ内の正レンズのうち一つ以上は屈折率が１．７０以上の媒質を有している事が望ましい。
【００２７】
本発明の大口径比レンズは、以下の条件式を満足することが望ましい。
（１）  ６０．０  ＜  ν１ａｍｉ
（２）  １．７６  ＜  Ｎ１ｂｐｊ
（３）  ４０．０  ＜  ν１ｂｐ  ＜  ８５．０
ここで
ν１ａｍｉは前記レンズＬ１ａｍｉに用いられた媒質のｄ線（波長λ＝５８７．５６ｎｍ）に対するアッベ数。（ｉは任意の数、物体側から１，２，３，，，）
Ｎ１ｂｐｊは前記レンズＬ１ｂｐｊに用いられた媒質のｄ線（波長λ＝５８７．５６ｎｍ）に対する屈折率。（ｊは任意の数、物体側から１，２，３，，，）
ν１ｂｐは前記第１ｂレンズ群Ｇ１ｂ内に物体側を負レンズとし像側を正レンズとする接合レンズの像側の正レンズのアッベ数の平均値。
【００２８】
条件式（１）は倍率色収差補正の適切な条件として、前記レンズＬ１ａｍｉに用いる媒質のアッベ数を規定するものである。
【００２９】
（１）式の下限を越え前記レンズＬ１ａｍｉに用いる媒質のアッベ数が小さくなると、負の屈折力を持つレンズの色収差が大きくなり、収差補正のための屈折力のバランスが崩れ、特に倍率色収差を良好に補正する事が困難となる。
【００３０】
なお条件式（１）について、望ましくはその下限値を６５．０に限定することで、前述の効果をより確実にすることができる。
【００３１】
条件式（２）はコマ収差の補正の適切な条件として、前記レンズＬ１ｐｊに用いる媒質の屈折率を規定するものである。
【００３２】
（２）式の下限を越え前記レンズＬ１ｐｊに用いる媒質の屈折率が小さくなると、特に第１ｂレンズ群Ｇ１ｂの中で物体側に近いレンズの面の曲率半径が小さくなりコマ収差を良好に補正する事が困難となる。
【００３３】
なお条件式（２）について、望ましくはその下限値を１．７９に限定することで、前述の効果をより確実にすることができる。
【００３４】
条件式（３）は収差補正の適切な条件として、第１ｂレンズ群Ｇ１ｂにある前記のアッベ数ν１ｂｐを規定するものである。
【００３５】
（３）式の下限を越え、前記アッベ数ν１ｂｐが小さくなると、軸上色収差、倍率色収差の補正が困難となる。（３）式の上限を越え、前記アッベ数ν１ｂｐが大きくなると、屈折率の高い媒質の選択肢が無くなり、正レンズの曲率半径が小さくなる 事で面の収差負担が大きくなり、球面収差、コマ収差、非点収差の補正が困難となる。
【００３６】
なお条件式（３）について、望ましくはその下限値を４５．０に、また上限値を８０．０に限定することで、前述の効果をより確実にすることができる。
【００３７】
また本発明の大口径比レンズは、前記第１ｂレンズ群Ｇ１ｂ内にはアッベ数をν１ｂｐａｋとする媒質を用いた正レンズＬ１ｂｐａｋを有し、以下の条件式を満足することが望ましい。
（４） ６０．０  ＜  ν１ｂｐａｋ 
ここで
ν１ｂｐａｋは前記第１ｂレンズ群Ｇ１ｂ内にある正レンズＬ１ｂｐａｋに用いられた媒質のｄ線（波長λ＝５８７．５６ｎｍ）に対するアッベ数。（ｋは任意の数、物体側から１，２，３，，，）
【００３８】
条件式（４）は収差補正の適切な条件として、第１ｂレンズ群Ｇ１ｂにある前記のアッベ数ν１ｂｐａｋを規定するものである。
【００３９】
（４）式の下限を越え、アッベ数ν１ｂｐａｋが小さくなると、軸上の色収差、倍率の色収差の補正が難しくなる。
【００４０】
なお条件式（４）について、望ましくはその下限値を６５．０に限定することで、前述の効果をより確実にすることができる。
【００４１】
また本発明の大口径比レンズは、以下の条件式を満足することが望ましい。
（５） １．００  ＜  ＥＸＰ  ／  ｆ  ＜  ２５．０
（６） ０．１５  ＜  ＤＳ−２  ／  ＤＳ−Ｉ  ＜  ０．５５
（７）  ０．４５  ＜  Ｄ１−１  ／  ＬＴ  ＜  ０．７５
ここで
ＥＸＰは無限遠合焦時の射出瞳位置から像面までの距離。
ｆは無限遠合焦時の全系の焦点距離。
ＤＳ−２は無限遠合焦時の絞りから第２レンズ群Ｇ２先頭面までの距離。
ＤＳ−Ｉは無限遠合焦時の絞りから像面までの距離。
Ｄ１−１は無限遠合焦時の第１レンズ群Ｇ１先頭面から第１レンズ群Ｇ１最終面までの距離
ＬＴ：レンズ全長。無限遠合焦時の第1レンズ群の最も物体側のレンズ面から像面までの長さ。
【００４２】
条件式（５）はフォーカシング時の像倍率変化を抑えるための好ましい条件として、無限遠合焦時の射出瞳位置から像面までの距離を規定するものである。
【００４３】
（５）式の下限を越え、射出瞳位置がより像側に寄る事で最終面での主光線射出角が大きくなると、同一撮影距離、同一物体高にて、フォーカスレンズを微小移動した時の、フォーカスレンズ群での主光線の光線高の変化は大きくなる。その結果、より像側のレンズ系の主光線の光線高の変化はさらに大きくなり、結像位置での光線高の変化量が大きくなるため像倍率の変化量も大きくなる。そのためフォーカス移動時の像倍率変動を小さくすることが困難になるため好ましくない。（５）式の上限を越え、開口絞り位置がより物体側に寄ると、非点収差が悪化し、また、絞り込み時の像面湾曲が大きくなり好ましくない。
【００４４】
なお条件式（５）について、望ましくはその下限値を１．２０に、また上限値を１０．０に限定することで、前述の効果をより確実にすることができる。
【００４５】
条件式（６）は開口絞りより像側の構成の適切な条件として、第２レンズ群Ｇ２の位置を規定するものである。
【００４６】
（６）式の下限を越え、開口絞りＳと第２レンズ群Ｇ２の距離が近くなると、前記開口絞りＳと前記第２レンズ群Ｇ２の径が大きくなる。開口絞り径が大きくなると製品径が大きくなるため好ましくなく、フォーカスレンズ径が大きくなるとフォーカス群の重量が増えるため好ましくない。この条件で小型化を行うと第３レンズ群の収差補正の負担が大きくなりフォーカシング時の収差補正が悪化する。（６）式の上限を越え、第２レンズ群Ｇ２と第３レンズ群Ｇ３が近くなると、交換レンズとして用いる場合に第３レンズ群の周縁には電装基板、カメラに取付けるためのマウントパーツが配置され、フォーカスレンズ群としての第２レンズ群Ｇ２には駆動用のアクチュエータが配置される。パーツ同士の干渉が起きるため好ましくない。
【００４７】
なお条件式（６）について、望ましくはその下限値を０．２５に、また上限値を０．５０に限定することで、前述の効果をより確実にすることができる。
【００４８】
条件式（７）は収差補正の適切な条件として、前記第１レンズ群Ｇ１の適切な厚さを規定するものである。第１レンズ群Ｇ１は収差補正のための自由度を持つ必要がある。自由度を持つ手段としてはレンズ枚数を多くすることによりレンズの面数とレンズ間隔を増やし、レンズの媒質を含めて適切に設定することが重要になる。そのために第１レンズ群Ｇ１の厚さは適切に確保しなければならない。
【００４９】
（７）式の下限を越え、第１レンズ群Ｇ１の厚さが薄くなると、収差補正の自由度を増やす事が難しくなる。（７）式の上限を越え、全レンズ系の全長が長くなると、製品が大型化するため好ましくない。
【００５０】
なお条件式（７）について、望ましくはその下限値を０．５３に、また上限値を０．６８に限定することで、前述の効果をより確実にすることができる。
【００５１】
また本発明の大口径比レンズは、以下の条件式を満足することが望ましい。
（８） ０．２１  ＜  ＹＦ１−１  ／  ｆ１  ＜  ０．５５
（９）  ０．４０  ＜  ＤＹＦ１  ／  ｆ１  ＜  ５．１０
ここで、
ＹＦ１−１は無限遠合焦時の第1レンズ群の最も物体側の面のＦｎｏ光線高。
ｆ１は前記第１レンズ群Ｇ１の焦点距離。
ＤＹＦ１は無限遠合焦時の第1レンズ群の中でＦｎｏ光線高が最も高いレンズ面と最も低いレンズ面の光軸上の距離。
【００５２】
条件式（８）は収差補正の適切な条件として、第１レンズ群Ｇ１を通るＦｎｏ光線高と第１レンズ群Ｇ１の焦点距離の関係を規定するものである。
【００５３】
（８）式の下限を越え、第１レンズ群Ｇ１の光学系の焦点距離が長くなると、全系の全長が長くなるため好ましくない。（８）式の上限を越え、第１レンズ群Ｇ１の光学系のＦｎｏ光線高が大きくなると、特に球面収差、コマ収差の補正が困難となる。
【００５４】
なお条件式（８）について、望ましくはその下限値を０．２６に、また上限値を０．５０に限定することで、前述の効果をより確実にすることができる。
【００５５】
条件式（９）は収差補正の適切な条件として、第１レンズ群Ｇ１の中でＦｎｏ光線高が最も高いレンズ面と最も低いレンズ面の光軸上の距離と第１レンズ群Ｇ１の焦点距離の関係を規定するものである。
【００５６】
（９）式の下限を越え、前記光軸上の距離ＤＹＦ１が短くなると、第１レンズ群Ｇ１中のＦｎｏ光線の光軸に対する角度が大きくなり、各レンズ面の球面収差を始めとする収差分担が大きくなる事で製造誤差感度が高くなるため製造時の負担となる。（９）式の上限を越え、前記光軸上の距離ＤＹＦ１が長くなると、全レンズ系の光学全長が長くなるため好ましくない。
【００５７】
なお条件式（９）について、望ましくはその下限値を０．６０に、また上限値を４．４０に限定することで、前述の効果をより確実にすることができる。
【００５８】
また本発明の大口径比レンズは、以下の条件式を満足することが望ましい。
（１０）  ０．５０  ＜  ｆ１ｂ  ／  ｆ  ＜  ３．００
（１１）  ０．４５  ＜  ｆ１  ／  ｆ  ＜  ２．００
（１２）  １．００  ＜  ｜ｆ２  ／  ｆ｜  ＜  ６．００
（１３）  ０．８０  ＜  ｆ３  ／  ｆ  ＜  ５．５０
（１４）  ０．４０  ＜  ｜Ｒ１ｍ  ／  ｆ｜  ＜  ２．００
ここで、
ｆ１ｂは前記第１ｂレンズ群Ｇ１ｂの焦点距離。
ｆ２は前記第２レンズ群Ｇ２の焦点距離。
ｆ３は前記第３レンズ群Ｇ３の焦点距離。
Ｒ１ｍは前記第１ａレンズ群Ｇ１ａにあるレンズの中の像側に向いた凹面の中で最も小さい曲率半径。
【００５９】
条件式（１０）は球面収差、コマ収差の補正の適切な条件として、前記第１ｂレンズ群Ｇ１ｂの適切な焦点距離を規定するものである。
【００６０】
（１０）式の下限を越え、第１ｂレンズ群Ｇ１ｂの屈折力が強くなると特に像側の正レンズの屈折力が強くなり、球面収差、コマ収差の補正が困難となる。（１０）式の上限を越え、第１ｂレンズ群Ｇ１ｂの屈折力が弱くなると郡内の負レンズの屈折力が強くなる事で収差補正のバランスが崩れ、球面収差、コマ収差の補正が困難となる。
【００６１】
なお条件式（１０）について、望ましくはその下限値を０．６５に、また上限値を２．６０に限定することで、前述の効果をより確実にすることができる。
【００６２】
条件式（１１）は球面収差、コマ収差の補正の適切な条件として、前記第１レンズ群Ｇ１の適切な焦点距離を規定するものである。
【００６３】
（１１）式の下限を越え、第１レンズ群Ｇ１の屈折力が強くなると、第２レンズ群Ｇ２との屈折力の配置のバランスが崩れ、フォーカシング時の収差補正が悪化し、特に球面収差、コマ収差の補正が困難となる。（１１）式の上限を越え、第１レンズ群Ｇ１の屈折力が弱くなると、第２レンズ群Ｇ２の光線が高くなりレンズ径が大きくなる。フォーカスレンズ群の重量が増加するため好ましくない。
【００６４】
なお条件式（１１）について、望ましくはその下限値を０．６０に、また上限値を１．６０に限定することで、前述の効果をより確実にすることができる。
【００６５】
条件式（１２）はフォーカスレンズ群の適切な条件として、前記第２レンズ群Ｇ２の適切な焦点距離を規定するものである。
【００６６】
（１２）式の下限を越え、第２レンズ群Ｇ２の屈折力が強くなると、特に球面収差、コマ収差の補正が困難となる。（１２）式の上限を越え、第２レンズ群Ｇ２の屈折力が弱くなると、フォーカスレンズ群の移動による撮影距離の変化をさせる効果が弱くなる事で最短撮影距離が長くなるため好ましくない。
【００６７】
なお条件式（１２）について、望ましくはその下限値を１．３０に、また上限値を５．００に限定することで、前述の効果をより確実にすることができる。
【００６８】
条件式（１３）はフォーカスレンズ群と収差補正の適切な条件として、前記第３レンズ群Ｇ３の適切な焦点距離を規定するものである。
【００６９】
（１３）式の下限を越え、第３レンズ群Ｇ３の屈折力が強くなると、特に球面収差、コマ収差の補正が困難となる。（１３）式の上限を越え、第３レンズ群Ｇ３の屈折力が弱くなると、第２レンズ群Ｇ２のＦｎｏ光線高が高くなる事でフォーカスレンズ群の重量が増加するため好ましくない。
【００７０】
なお条件式（１３）について、望ましくはその下限値を１．２５に、また上限値を４．５０に限定することで、前述の効果をより確実にすることができる。
【００７１】
条件式（１４）は収差補正の適切な条件として、第１ａレンズ群Ｇ１ａにある前記の曲率半径Ｒ１ｍを規定するものである。
【００７２】
（１４）式の下限を越え、曲率半径Ｒ１ｍが小さくなる事でコマ収差、非点収差の補正が難しくなる。（１４）式の上限を越え、曲率半径Ｒ１ｍが大きくなる事で第１ａレンズ群Ｇ１ａの負の屈折力が弱くなり、第１レンズ群Ｇ１のレトロフォーカスタイプの屈折力の配置が崩れる事で良好な収差補正を行う事が難しくなる。
【００７３】
なお条件式（１４）について、望ましくはその下限値を０．５５に、また上限値を１．５０に限定することで、前述の効果をより確実にすることができる。
【００７４】
また前記第３レンズ群Ｇ３は、物体側から順に物体側に凸面を有するレンズＬ３ａ、像側に凹面を有するレンズＬ３ｂ、正の屈折力を有するレンズＬ３ｃを有する。
【００７５】
第３レンズ群Ｇ３と周縁の電装基板等のパーツとの干渉を避けるため、まず物体側に凸面を有するレンズＬ３ａを配置する事で光線高を下げることが可能となる。また撮影距離が至近での合焦時に第２レンズ群Ｇ２は第３レンズ群に近づく。この時の第２レンズ群Ｇ２との干渉を避けるためにレンズＬ３ａは周縁のパーツよりも物体側に置く事が望ましい。さらに像側に凹面を有するレンズＬ３ｂを配置する事で第３ａレンズ群の配置を望ましい位置に置く事が可能となり、正の屈折力を有するレンズＬ３ｃを配置する事でコマ収差、非点収差の補正を良好に行う事が出来る。
【００７６】
また本発明の大口径比レンズは、以下の条件式を満足することが望ましい。
（１５）  ０．４０  ＜  Ｒ３ａ  ／  ｆ  ＜  ８．００
ここで
Ｒ３ａは前記レンズＬ３ａの物体側にある凸面の曲率半径。
【００７７】
条件式（１５）は収差補正の適切な条件として、前記レンズＬ３ａの物体側にある凸面の曲率半径を規定するものである。
【００７８】
（１５）式の下限を越え、前記レンズ面Ｒ３ａの曲率半径が小さくなると、特に球面収差、コマ収差の補正が困難となる。（１５）式の上限を越え、前記レンズ面Ｒ３ａの曲率半径が大きくなると、近距離撮影時にフォーカシングで移動した第２レンズ群Ｇ２と干渉する。干渉を避けるとフォーカシングの移動量が少なくなるため最短撮影距離が長くなり好ましくない。
【００７９】
なお条件式（１５）について、望ましくはその下限値を０．５５に、また上限値を６．００に限定することで、前述の効果をより確実にすることができる。
【００８０】
また、本発明の大口径比レンズは、第２レンズ群Ｇ２をレンズ１枚とする事が望ましい。そうする事でフォーカスレンズの軽量化を行う事ができる。
【００８１】
また、本発明の大口径比レンズは、第１ａレンズ群Ｇ１ａの最も像側に配置されたＬ１ａｍｉと、第１ｂレンズ群Ｇ１ｂ中のＬ１ｂ１の間にレンズを配置した場合には、かかるレンズを収差補正に用いても良い。
【００８２】
また、本発明の大口径比レンズは、第１レンズ群Ｇ１内の一部のレンズを光軸に対して略垂直方向に移動させ、像を光軸に対して垂直方向に移動させる構成としても良い。特に第１ｂレンズ群Ｇ１ｂの絞りより物体側にあるレンズ１枚を用いると良い。
【００８３】
また、本発明の大口径比レンズは、無限遠物体から近距離物体への合焦の際に、第２レンズ群とは別に第１レンズ群Ｇ１を物体側へ移動させても良い。そうする事で最短撮影距離を短くすることができる。
【００８４】
次に、本発明のインナーフォーカス光学系に係る各実施例のレンズ構成と具体的な数値データについて説明する。尚、以下の説明ではレンズ構成を物体側から像側の順番で記載する。
【００８５】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数、有効径はレンズ有効径を示す。またＢＦはバックフォーカスを表す。
【００８６】
面番号を付した（開口絞り）には、平面または開口絞りに対する曲率半径∞（無限大）を記入している。
【００８７】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
0006753599.tif 000002
【００８８】
［各種データ］には、焦点距離等の値を示している。
【００８９】
［可変間隔データ］には、各撮影距離状態における可変間隔及びＢＦ（バックフォーカス）の値を示している。
【００９０】
［レンズ群データ］には、各レンズ群を構成する最も物体側の面番号及び群全体の合成焦点距離を示している。
【００９１】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００９２】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
【００９３】
さらに図１、６、１１、１６、２１、２６、３１、３６に示すレンズ構成図において、Ｓは開口絞り、Ｉは像面、Ｆはフィルター、中心を通る一点鎖線は光軸である。
【００９４】
次に、本発明の大口径比レンズに係る実施例のレンズ構成について説明する。なお、以下の説明ではレンズ構成を物体側から像側の順番で記載する。
【実施例１】
【００９５】
図１は、本発明の実施例１の大口径比レンズのレンズ構成図である。実施例１の大口径比レンズは、正の屈折力を有する第１レンズ群Ｇ１と負の屈折力を有する第２レンズ群Ｇ２と正の屈折力を有する第３レンズ群Ｇ３とからなる。
【００９６】
正の屈折力を有する第１レンズ群Ｇ１は、物体側から順に、物体側に凸面を向けた正メニスカスレンズと、物体側に凸面を向けた負メニスカスレンズＬ１ａｍ１とからなる負の屈折力を有する第１ａレンズ群Ｇ１ａと、物体側に凸面を向けた正メニスカスレンズＬ１ｂｐ１と物体側に凸面を向けた負メニスカスレンズの接合レンズと、両凸レンズＬ１ｂｐａ１と、物体側に凹面を向けた負メニスカスレンズと、両凹レンズと像側の面が非球面である両凸レンズの接合レンズと、開口絞りと、物体側に凸面を向けた負メニスカスレンズと、両凸レンズＬ１ｂｐａ２の接合レンズと、両凹レンズと両凸レンズＬ１ｂｐ２の接合レンズと、両凸レンズＬ１ｂｐ３とからなる、正の屈折力を有する第１ｂレンズ群Ｇ１ｂとからなる。
【００９７】
負の屈折力を有する第２レンズ群Ｇ２は、物体側に凸面を向けた負メニスカスレンズからなる。
【００９８】
正の屈折力を有する第３レンズ群Ｇ３は、物体側から順に両凸レンズＬ３ａと、両凸レンズと両凹レンズＬ３ｂの接合レンズと、物体側に凸面を向けた正メニスカスレンズＬ３ｃとからなる。
【００９９】
また、無限遠物体から近距離物体への合焦の際には、第１レンズ群Ｇ１と第３レンズ群Ｇ３は像面に対し固定であり、前記第２レンズ群Ｇ２が像面側へ移動する。
【０１００】
また、第３レンズ群Ｇ３と像面の間に平行平面板であるフィルターＦが配置されている。このフィルターＦの光軸上の位置は第３レンズ群Ｇ３と像面の間では、どこであっても収差に影響を与えない。
実施例１
単位：mm
[面データ]
面番号            r           d           nd        vd       有効径
1         65.3852      5.6867      1.91082     35.25     44.87
2       1106.4299      0.4500                            43.32
3         99.4841      1.0000      1.59282     68.62     39.11
4         19.4333      4.2580                            30.96
5         25.7453      4.2739      2.00069     25.46     30.10
6         45.9141      0.8000      1.56384     60.83     28.44
7         20.0032      6.1140                            25.15
8        551.5218      2.2748      1.43700     95.10     23.65
9        -95.0315      1.9481                            22.85
10        -40.0995      0.8000      1.58144     40.89     21.74
11       -611.1456      3.5138                            21.03
12        -25.4641      0.8000      1.76182     26.61     20.20
13        121.2952      4.5807      1.77250     49.46     21.79
14*        -29.6846      1.5000                            22.73
15（絞り）          ∞      3.3168                            23.89
16        134.8541      0.8000      1.85478     24.80     25.93
17         48.8320      6.3206      1.59282     68.62     26.28
18        -39.8420      0.8520                            26.97
19        -45.5614      0.8000      1.85478     24.80     27.06
20         45.3260      6.9817      1.88100     40.14     28.79
21        -46.4419      0.1500                            29.50
22        148.0801      3.4326      2.00100     29.13     29.57
23        -88.9466         d23                            29.44
24        166.9239      0.7000      1.48749     70.44     26.03
25         28.0072         d25                            24.66
26         29.7353      4.2539      1.92286     20.88     23.12
27       -680.7929      0.1500                            22.30
28         44.8851      4.2583      1.72916     54.67     21.47
29        -44.1623      0.8000      1.85478     24.80     20.57
30         18.8274      2.4345                            18.60
31         38.4204      3.5165      1.72916     54.67     19.21
32        349.1076     12.7422                            19.35
33              ∞      4.0000      1.51680     64.20     21.12
34              ∞        (BF)                            21.49
[非球面データ]
14面
K                0.0000
A4            1.0755E-05
A6           -1.5867E-08
A8            2.8399E-10
A10          -9.4006E-13
[各種データ]
INF           300mm
焦点距離             25.01         24.75
Fナンバー             1.28          1.33
全画角2ω            47.43         45.79
像高Y              10.82         10.82
レンズ全長           105.02        105.02
[可変間隔データ]
撮影距離          INF           300mm
d23              2.0000        7.8136
d25              8.5109        2.6973
BF               1.0000        1.0000
[レンズ群データ]
群            始面         焦点距離
G1              1             31.23 
G2             24            -69.15
G3             26             44.98
G1a             1           -101.19
G1b             5             32.95
【実施例２】
【０１０１】
図６は、本発明の実施例２の大口径比レンズのレンズ構成図である。実施例２の大口径比レンズは、正の屈折力を有する第１レンズ群Ｇ１と負の屈折力を有する第２レンズ群Ｇ２と正の屈折力を有する第３レンズ群Ｇ３とからなる。
【０１０２】
正の屈折力を有する第１レンズ群Ｇ１は、物体側に凸面を向けた正メニスカスレンズと、物体側に凸面を向けた負メニスカスレンズＬ１ａｍ１とからなる負の屈折力を有する第１ａレンズ群Ｇ１ａと、物体側に凸面を向けた正メニスカスレンズＬ１ｂｐ１と、両凹レンズと、両凸レンズＬ１ｂｐａ１と、両凹レンズと像側の面が非球面である両凸レンズの接合レンズと、開口絞りと、両凹レンズと両凸レンズＬ１ｂｐａ２の接合レンズと、物体側に凸面を向けた負メニスカスレンズと両凸レンズＬ１ｂｐ２の接合レンズと、物体側に凹面を向けた正メニスカスレンズＬ１ｂｐ３と、両凸レンズＬ１ｂｐ４と、からなる正の屈折力を有する第１ｂレンズ群Ｇ１ｂとからなる。
【０１０３】
負の屈折力を有する第２レンズ群Ｇ２は、物体側に凸面を向けた負メニスカスレンズからなる。
【０１０４】
正の屈折力を有する第３レンズ群Ｇ３は、両凸レンズＬ３ａと、両凸レンズと両凹レンズＬ３ｂの接合レンズと、物体側に凸面を向けた正メニスカスレンズＬ３ｃとからなる。
【０１０５】
また、無限遠物体から近距離物体への合焦の際には、第１レンズ群Ｇ１と第３レンズ群Ｇ３は像面に対し固定であり、前記第２レンズ群Ｇ２が像面側へ移動する。
【０１０６】
また、第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
実施例２
単位：mm
[面データ]
面番号       r           d           nd        vd       有効径 
1         58.8647      5.2809      1.91082     35.25     39.53
2        371.0912      0.4500                            37.68
3         49.7351      1.0000      1.59282     68.62     32.90
4         16.3636      6.5941                            26.54
5         48.7866      2.3814      1.92286     20.88     25.54
6        113.3014      1.7803                            24.72
7        -78.1005      0.8000      1.49700      1.61     24.59
8         47.3480      2.5379                            23.00
9       1305.4710      1.9845      1.43700      5.10     22.42
10        -85.2788      3.3458                            22.00
11        -22.5656      0.8000      1.62004      6.30     21.10
12         67.7799      6.6032      1.77250      9.46     23.17
13*        -24.2737      1.5000                            24.21
14（絞り）          ∞      4.5390                            24.57
15        -38.8572      0.8000      1.85478      4.80     24.99
16         40.3114      8.2882      1.49700      1.61     27.09
17        -31.7028      0.1500                            28.90
18        462.5434      0.8000      1.62004      6.30     31.25
19         46.1806      6.9758      1.88100      0.14     32.41
20        -62.9404      0.1500                            32.74
21       -120.3503      2.3970      1.88100      0.14     32.57
22        -58.8627      0.1500                            32.63
23        126.0487         d23      1.77250      9.62     31.15
24       -218.5279      2.0000                            30.60
25        163.6974         d25      1.48749      0.44     26.97
26         26.5643      7.8089                            25.06
27         44.8475      3.6355      1.92286      0.88     22.90
28       -126.5751      0.1500                            22.18
29         65.3904      3.9159      1.72916      4.67     20.60
30        -39.6607      0.8000      1.85478      4.80     19.86
31         22.3922      2.7571                            18.60
32         37.6019      2.7797      1.72916     54.67     19.50
33        146.7748      3.0516                            19.53
34              ∞       4.0000     1.51680     64.20     21.18
35              ∞         (BF)                           21.52
[非球面データ]
13面
K                0.0000
A4            1.3854E-05
A6           -1.8515E-08
A8            1.9239E-10
A10          -6.1546E-13
[各種データ]
INF           300mm
焦点距離             24.95         24.16
Fナンバー             1.28          1.29
全画角2ω            46.90         46.85
像高Y              10.82         10.82
レンズ全長           104.97        104.97
[可変間隔データ]
撮影距離          INF           300mm
d23              2.0000         5.8398
d25              7.8089         3.9690
BF               1.0000         1.0000
[レンズ群データ]
群            始面         焦点距離
G1              1             23.94
G2             25            -65.16
G3             27             65.64
G1a             1           -105.87
G1b             5             25.65
【実施例３】
【０１０７】
図１１は、本発明の実施例３の大口径比レンズのレンズ構成図である。実施例３の大口径比レンズは、正の屈折力を有する第１レンズ群Ｇ１と負の屈折力を有する第２レンズ群Ｇ２と正の屈折力を有する第３レンズ群Ｇ３とからなる。
【０１０８】
正の屈折力を有する第１レンズ群Ｇ１は、物体側に凸面を向けた正メニスカスレンズと、物体側に凸面を向けた負メニスカスレンズＬ１ａｍ１とからなる負の屈折力を有する第１ａレンズ群Ｇ１ａと、物体側に凸面を向けた正メニスカスレンズＬ１ｂｐ１と物体側に凸面を向けた負メニスカスレンズの接合レンズと、両凸レンズＬ１ｂｐａ１と、物体側に凹面を向けた負メニスカスレンズと両凹レンズと像側の面が非球面である両凸レンズの接合レンズと、開口絞りと、物体側に凸面を向けた負メニスカスレンズと両凸レンズＬ１ｂｐａ２の接合レンズと、両凹レンズと両凸レンズＬ１ｂｐ２との接合レンズ、両凸レンズＬ１ｂｐ３とからなる正の屈折力を有する第１ｂレンズ群Ｇ１ｂとからなる。
【０１０９】
負の屈折力を有する第２レンズ群Ｇ２は、物体側に凸面を向けた負メニスカスレンズからなる。
【０１１０】
正の屈折力を有する第３レンズ群Ｇ３は、両凸レンズＬ３ａと、両凸レンズと両凹レンズＬ３ｂの接合レンズと、物体側に凸面を向けた正メニスカスレンズＬ３ｃとからなる。
【０１１１】
また、無限遠物体から近距離物体への合焦の際には、第１レンズ群Ｇ１と第３レンズ群Ｇ３は像面に対し固定であり、前記第２レンズ群Ｇ２が像面側へ移動する。
【０１１２】
また、第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
実施例３
単位：mm
[面データ]
面番号      r            d           nd         vd       有効径
1         62.8465      5.8199      1.91082      35.25     44.54
2        795.6001      0.4500                             42.87
3         80.5390      1.0000      1.59282      68.62     38.13
4         18.8244      4.4692                             30.20
5         25.5129      3.7916      1.92286      20.88     29.22
6         41.2086      0.8000      1.61997      63.88     27.65
7         21.5256      5.3794                             25.08
8        193.2685      2.2536      1.43700      95.10     23.66
9       -145.9395      2.4275                             22.79
10        -35.3250      0.8000      1.71736      29.50     21.60
11       -106.0551      3.5292                             21.17
12        -22.4936      1.2258      1.72825      28.32     20.30
13         57.6265      6.1618      1.77250      49.50     22.85
14*       -28.7090      1.5000                             24.15
15（絞り）          ∞      1.5000                             25.69
16         67.6932      0.8000      1.85478      24.80     27.16
17         38.8840      7.4201      1.49700      81.61     27.30
18        -40.5620      0.5677                             27.99
19        -52.6434      0.8000      1.85478      24.80     28.06
20         57.0200      6.3349      1.88100      40.14     29.41
21        -49.8896      0.1500                             30.01
22        161.7453      3.3420      2.00100      29.13     29.95
23        -94.4080         d23                             29.80
24        147.7563      0.7000      1.48749      70.44     26.54
25         27.0944         d25                             25.08
26         30.1648      4.7740      1.92286      20.88     23.60
27       -368.5498      0.1500                             22.52
28         39.2612      4.6091      1.72916      54.67     20.70
29        -39.2612      0.8000      1.85478      24.80     19.44
30         18.2088      2.5138                             17.30
31         43.7696      2.3352      1.72916      54.67     17.92
32        232.6589     12.8822                             18.06
33              ∞      4.0000      1.51680      64.20     20.85
34              ∞        (BF)                             21.42
[非球面データ]
14面
K                0.0000
A4            9.5304E-06
A6           -3.5750E-09
A8            1.5564E-10
A10          -4.8370E-13
[各種データ]
INF           300mm
焦点距離             25.01         24.67
Fナンバー             1.28          1.33
全画角2ω            47.29         45.33
像高Y              10.82         10.82
レンズ全長           104.97        104.97
[可変間隔データ]
撮影距離          INF           300mm
d23              2.0500         7.6848
d25              8.6364         3.0016
BF               1.0000         1.0000
[レンズ群データ]
群            始面         焦点距離
G1              1             30.95
G2             24            -68.19
G3             26             46.31
G1a             1           -109.66
G1b             5             31.98
【実施例４】
【０１１３】
図１６は、本発明の実施例４の大口径比レンズのレンズ構成図である。実施例４の大口径比レンズは、正の屈折力を有する第１レンズ群Ｇ１と負の屈折力を有する第２レンズ群Ｇ２と正の屈折力を有する第３レンズ群Ｇ３とからなる。
【０１１４】
正の屈折力を有する第１レンズ群Ｇ１は、両凸レンズと、物体側に凸面を向けた負メニスカスレンズＬ１ａｍ１と、物体側に凸面を向けた負メニスカスレンズＬ１ａｍ２とからなる負の屈折力を有する第１ａレンズ群Ｇ１ａと、物体側に凸面を向けた正メニスカスレンズＬ１ｂｐ１と、両凸レンズＬ１ｂｐ２と両凹レンズの接合レンズと、両凸レンズＬ１ｂｐａ１と、開口絞りと、両凹レンズと両凸レンズＬ１ｂｐａ２の接合レンズと、両凹レンズと両凸レンズＬ１ｂｐ３の接合レンズと、像側の面が非球面である両凸レンズＬ１ｂｐ４とからなる正の屈折力を有する第１ｂレンズ群Ｇ１ｂとからなる。
【０１１５】
負の屈折力を有する第２レンズ群Ｇ２は、物体側に凸面を向けた負メニスカスレンズからなる。
【０１１６】
正の屈折力を有する第３レンズ群Ｇ３は、物体側に凸面を向けた正メニスカスレンズＬ３ａと、像側に凹面を向けた負メニスカスレンズＬ３ｂと、両凸レンズＬ３ｃとからなる。
【０１１７】
また、無限遠物体から近距離物体への合焦の際には、第１レンズ群Ｇ１と第３レンズ群Ｇ３は像面に対し固定であり、前記第２レンズ群Ｇ２が像面側へ移動する。
【０１１８】
また、第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
実施例４
単位：mm
[面データ]
面番号       r           d           nd        vd       有効径
1        202.6140      3.8008      1.77250     49.62     39.13
2       -168.0732      0.2711                            38.16
3        128.2192      1.0000      1.59282     68.62     34.65
4         19.4486      4.9833                            28.96
5         38.0714      1.0000      1.43700     95.10     28.59
6         23.1882      2.9568                            27.41
7         24.4065      5.1367      1.80809     22.76     27.34
8         71.8079      4.5961                            26.09
9         92.5299      2.8978      1.95375     32.32     22.90
10       -150.6813      0.8000      1.69895     30.05     22.55
11         22.4631      2.7171                            21.56
12         37.6895      4.5384      1.59282     68.62     22.43
13       -125.6245      2.0000                            22.61
14（絞り）          ∞      4.5633                            22.65
15        -27.8783      0.8000      1.85478     24.80     22.84
16         89.9432      7.5093      1.59282     68.62     24.71
17        -22.8053      0.1979                            26.21
18        -28.6131      0.8000      1.72825     28.32     26.39
19         79.6093      6.6354      1.88100     40.14     29.18
20        -35.2461      0.1500                            30.03
21         48.7620      5.0980      1.80610     40.73     30.16
22*       -91.8959         d22                            29.71
23        361.5001      0.7000      1.48749     70.44     25.67
24         28.1487         d23                            24.01
25         26.7103      3.6169      1.88100     40.14     21.97
26        139.7496      1.2481                            21.02
27        147.2474      4.5596      1.61310     44.36     19.80
28         17.1037      2.9560                            18.58
29         37.2971      3.7620      1.49700     81.61     19.45
30        -64.3218     11.8173                            19.76
31              ∞      4.0000      1.51680     64.20     21.22
32              ∞        (BF)                            21.52
[非球面データ]
22面
K                0.0000
A4            4.4008E-06
A6           -1.2088E-08
A8            5.5064E-11
A10          -1.0616E-13
[各種データ]
INF           300mm
焦点距離             24.99         24.42
Fナンバー             1.28          1.30
全画角2ω            46.12         46.02
像高Y              10.82         10.82
レンズ全長           104.85        104.85
[可変間隔データ]
撮影距離          INF           300mm
d22              2.0000         6.0687
d24              6.7383         2.6695
BF               1.0000         1.0000
[レンズ群データ]
群            始面         焦点距離
G1              1             25.27
G2             23            -62.66
G3             25             54.25
G1a             1            -58.93
G1b             5             32.04
【実施例５】
【０１１９】
図２０は、本発明の実施例５の大口径比レンズのレンズ構成図である。実施例５の大口径比レンズは、正の屈折力を有する第１レンズ群Ｇ１と負の屈折力を有する第２レンズ群Ｇ２と正の屈折力を有する第３レンズ群Ｇ３とからなる。
【０１２０】
正の屈折力を有する第１レンズ群Ｇ１は、物体側に凸面を向けた負メニスカスレンズＬ１ａｍ１と、物体側に凸面を向けた負メニスカスレンズＬ１ａｍ２とからなる負の屈折力を有する第１ａレンズ群Ｇ１ａと、両凸レンズＬ１ｂｐ１と、両凸レンズＬ１ｂｐ２と両凹レンズの接合レンズと、両凸レンズＬ１ｂｐａ１と、開口絞りと、両凹レンズと両凸レンズＬ１ｂｐａ２の接合レンズと、両凹レンズと両凸レンズＬ１ｂｐ３の接合レンズと、像側の面が非球面である両凸レンズＬ１ｂｐ４とからなる正の屈折力を有する第１ｂレンズ群Ｇ１ｂとからなる。
【０１２１】
、
負の屈折力を有する第２レンズ群Ｇ２は、物体側に凸面を向けた負メニスカスレンズからなる。
【０１２２】
正の屈折力を有する第３レンズ群Ｇ３は、物体側に凸面を向けた正メニスカスレンズＬ３ａと物体側に凸面を向けた負メニスカスレンズの接合レンズと、両凸レンズと両凹レンズＬ３ｂの接合レンズと、両凸レンズＬ３ｃとからなる。
【０１２３】
また、無限遠物体から近距離物体への合焦の際には、第１レンズ群Ｇ１と第３レンズ群Ｇ３は像面に対し固定であり、前記第２レンズ群Ｇ２が像面側へ移動する。
【０１２４】
また、第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
実施例５
単位：mm
[面データ]
面番号       r           d           nd        vd       有効径
1        147.3254      1.0000      1.48749     70.44      35.27
2         21.2687      5.5764                             30.96
3         46.3474      1.0000      1.43700     95.10      30.90
4         26.4253      7.7864                             30.16
5         54.7410      3.9589      1.92286     20.88      31.58
6       -659.4892      0.4871                             31.36
7         96.3677      8.7558      1.91082     35.25      30.70
8        -25.0807      0.8000      1.69895     30.05      30.11
9         30.0917      1.9867                             26.00
10         36.7788      4.4986      1.59282     68.62      26.18
11       -155.5855      2.1500                             25.86
12（絞り）          ∞      4.4019                             24.79
13        -32.1856      0.8000      1.85478     24.80      24.31
14         75.5763      6.9372      1.49700     81.61      25.38
15        -25.2841      0.1500                             26.27
16        -33.1570      0.8000      1.85478     24.80      26.29
17         79.8205      5.2717      2.00100     29.13      28.23
18        -47.9177      0.1500                             28.85
19         45.8456      5.8367      1.80610     40.73      29.18
20*       -54.1728         d20                             28.71
21        234.4687      0.7000      1.48749     70.44      24.23
22         20.1808         d22                             22.02
23         19.7240      1.5919      1.90366     31.31      20.57
24         22.0785      0.8000      1.80000     29.84      19.87
25         18.8811      2.8882                             19.20
26         37.7206      5.0598      1.80420     46.50      19.70
27        -32.7125      0.8000      1.67270     32.17      19.77
28         28.7332      2.4885                             19.70
29        105.8839      3.8509      1.91082     35.25      20.31
30        -76.0430     11.9639                             20.74
31              ∞      4.0000      1.51680     64.20      21.43
32              ∞        (BF)                             21.57
[非球面データ]
20面
K                0.0000
A4            9.4964E-06
A6           -1.0210E-08
A8            1.3899E-11
A10          -5.0881E-15
[各種データ]
INF           300mm
焦点距離             24.99         24.52
Fナンバー             1.28          1.30
全画角2ω            47.23         46.71
像高Y              10.82         10.82
レンズ全長           104.97        104.97
[可変間隔データ]
撮影距離          INF           300mm
d20              2.0000         4.9666
d22              5.4815         2.5148
BF               1.0000         1.0000
[レンズ群データ]
群            始面         焦点距離
G1              1             22.26
G2             21            -45.34
G3             23             45.63
G1a             1            -36.32
G1b                           31.02
【実施例６】
【０１２５】
図２５は、本発明の実施例６の大口径比レンズのレンズ構成図である。実施例６の大口径比レンズは、正の屈折力を有する第１レンズ群Ｇ１と負の屈折力を有する第２レンズ群Ｇ２と正の屈折力を有する第３レンズ群Ｇ３とからなる。
【０１２６】
正の屈折力を有する第１レンズ群Ｇ１は、物体側に凸面を向けた両面非球面の負メニスカスレンズＬ１ａｍ１と、物体側に凸面を向けた負メニスカスレンズＬ１ａｍ２とからなる負の屈折力を有する第１ａレンズ群Ｇ１ａと、両凸レンズＬ１ｂｐ１と両凹レンズの接合レンズと、両凸レンズＬ１ｂｐａ１と、両凹レンズと両凸レンズの接合レンズと、開口絞りと、物体側に凸面を向けた負メニスカスレンズと両凸レンズＬ１ｂｐａ２の接合レンズと、両凹レンズと像側の面が非球面の両凸レンズＬ１ｂｐ３の接合レンズと、両凸レンズとからなる正の屈折力を有する第１ｂレンズ群Ｇ１ｂとからなる。
【０１２７】
負の屈折力を有する第２レンズ群Ｇ２は、物体側に凸面を向けた負メニスカスレンズからなる
【０１２８】
正の屈折力を有する第３レンズ群Ｇ３は、物体側に凸面を向けた正メニスカスレンズＬ３ａと、両凸レンズと両凹レンズＬ３ｂの接合レンズと、両凸レンズＬ３ｃとからなる。
【０１２９】
また、無限遠物体から近距離物体への合焦の際には、第１レンズ群Ｇ１と第３レンズ群Ｇ３は像面に対し固定であり、前記第２レンズ群Ｇ２が像面側へ移動する。
【０１３０】
また、第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
実施例６
単位：mm
[面データ]
面番号        r           d            nd        vd       有効径
1*         22.6112       2.4843      1.59201     67.02      37.80
2*         11.2972      13.3196                             27.31
3         594.2989       1.0000      1.59282     68.62      25.98
4          20.7971       1.3706                             23.94
5          20.8387       6.3471      1.92286     20.88      24.07
6         242.6575       0.8000      1.56732     42.84      22.42
7          19.1542       6.5303                             20.00
8          47.3770       3.7996      1.43700     95.10      19.30
9         -55.9048       1.9820                             19.49
10         -30.1026       0.8000      1.85478     24.80      19.48
11          25.0430       7.0494      1.77250     49.62      21.42
12         -37.2791       1.5000                             22.79
13（絞り）          ∞       1.5000                             23.98
14          75.9863       0.8000      1.85478     24.80      25.00
15          32.5662       5.1370      1.59282     68.62      25.14
16         -98.9511       1.4714                             25.51
17        -287.8247       0.8000      1.51823     58.96      25.88
18          30.3428       5.3855      1.85135     40.10      26.52
19*        -94.5827       0.1500                             26.44
20         269.1202       2.8540      1.77250     49.62      26.17
21         -69.0639          d21                             25.95
22         218.4234       0.7493      1.55032     75.50      23.16
23          26.7772          d23                             21.89
24          43.0000       3.1065      1.92286     20.88      20.94
25        -122.1884       0.1500                             20.45
26          76.6858       2.9411      1.77250     49.62      19.37
27         -46.4176       0.8000      1.85478     24.80      18.53
28          18.8214       1.0130                             16.60
29          20.2414       6.3148      1.59282     68.62      17.83
30        -201.9133      12.3856                             18.46
31               ∞       4.0000      1.51680     64.20      20.92
32               ∞         (BF)                             21.43
[非球面データ]
1面            2面           19面
K                0.0000        -0.9490        -1.4000
A4           -5.4675E-06     6.2689E-05     7.4500E-06
A6           -9.0449E-08    -3.0070E-07    -4.2952E-09
A8            3.4381E-10     3.8437E-09    -1.0455E-11
A10          -5.3347E-13    -1.8766E-11     1.9499E-13
A12          9.06233E-17    5.92073E-14   -6.40066E-16
[各種データ]
INF           200mm
焦点距離             13.92         13.83
Fナンバー             1.28          1.31
全画角2ω            81.14         79.41
像高Y              10.82         10.82
レンズ全長           105.02        105.02
[可変間隔データ]
撮影距離          INF           200mm
d21              2.0000         4.8637
d23              5.4791         2.6154
BF               1.0000         1.0000
[レンズ群データ]
群            始面         焦点距離
G1              1             15.92
G2             22            -55.53
G3             24             39.91
G1a             1            -16.75
G1b             5             29.21
【実施例７】
【０１３１】
図３１は、本発明の実施例７の大口径比レンズのレンズ構成図である。実施例７の大口径比レンズは、正の屈折力を有する第１レンズ群Ｇ１と負の屈折力を有する第２レンズ群Ｇ２と正の屈折力を有する第３レンズ群Ｇ３とからなる。
【０１３２】
物体側から順に、正の屈折力を有する第１レンズ群Ｇ１は、両凸レンズと、物体側に凸面を向けた負メニスカスレンズＬ１ａｍ１とからなる負の屈折力を有する第１ａレンズ群Ｇ１ａと、物体側に凸面を向けた正メニスカスレンズＬ１ｂｐ１と物体側に凸面を向けた負メニスカスレンズの接合レンズと、両凸レンズＬ１ｂｐａ１と、物体側に凹面を向けた負メニスカスレンズと、両凹レンズと像側の面が非球面である両凸レンズの接合レンズと、開口絞りと、物体側に凸面を向けた負メニスカスレンズと両凸レンズＬ１ｂｐａ２の接合レンズと、両凹レンズと両凸レンズＬ１ｂｐ２の接合レンズと、両凸レンズＬ１ｂｐ３とからなる正の屈折力を有する第１ｂレンズ群Ｇ１ｂとからなる。
【０１３３】
負の屈折力を有する第２レンズ群Ｇ２は、物体側に凸面を向けた負メニスカスレンズからなる。
【０１３４】
正の屈折力を有する第３レンズ群Ｇ３は、両凸レンズＬ３ａと、両凸レンズと両凹レンズＬ３ｂの接合レンズと、物体側に凸面を向けた正メニスカスレンズＬ３ｃとからなる。
【０１３５】
また、無限遠物体から近距離物体への合焦の際には、第１レンズ群Ｇ１と第３レンズ群Ｇ３は像面に対し固定であり、前記第２レンズ群Ｇ２が像面側へ移動する。
【０１３６】
また、第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
実施例７
単位：mm
[面データ]
面番号       r           d            nd        vd       有効径
1          78.2288       5.9455      1.88100     40.14      48.31
2       -2035.0045       0.4500                             47.08
3          57.8324       1.0000      1.59282     68.62      41.06
4          21.6904       5.2273                             34.53
5          32.0540       4.6233      2.00069     25.46      33.81
6          67.7365       0.8000      1.51742     52.15      32.32
7          25.1069       5.4807                             28.99
8         130.4698       2.3586      1.43700     95.10      27.76
9        -409.8552       2.3556                             26.94
10         -61.8366       0.8000      1.80000     29.84      25.83
11        -603.2905       4.8760                             25.30
12         -25.1371       0.8000      1.74077     27.76      25.00
13          99.2565       6.9000      1.77250     49.46      27.61
14*        -30.3617       1.5000                             28.97
15（絞り）          ∞       1.5000                             30.22
16          97.4363       0.8000      1.80000     29.84      31.35
17          42.3539       7.5536      1.59282     68.62      31.53
18         -58.2782       1.5980                             31.97
19        -114.7599       0.8000      1.85478     24.80      31.89
20          45.2349       7.2006      1.88100     40.14      32.46
21         -66.1642       0.1500                             32.70
22         162.3589       3.2346      2.00100     29.13      31.96
23        -132.5829          d23                             31.62
24         242.6237       0.7040      1.55032     75.50      27.72
25          29.9077          d25                             25.93
26          54.6560       2.9790      1.92286     20.88      23.37
27        -199.5267       0.1500                             22.85
28          36.0685       4.5678      1.80420     46.50      21.01
29         -44.8330       1.8062      1.80000     29.84      19.53
30          18.2127       2.3706                             16.10
31          42.0918       1.9859      1.77250     49.62      17.00
32          92.8461      13.0385                             16.88
33               ∞       4.0000      1.51680     64.20      20.59
34               ∞         (BF)                             21.35
[非球面データ]
14面
K                0.0000
A4            5.9737E-06
A6            1.8787E-09
A8            6.0528E-12
A10          -1.2275E-15
[各種データ]
INF           350mm
焦点距離             34.98         33.09
Fナンバー             1.28          1.32
全画角2ω            33.12         32.17
像高Y              10.82         10.82
レンズ全長           110.14        110.14
[可変間隔データ]
撮影距離          INF           350mm
d23              2.0000         7.9118
d25              9.5811         3.6693
BF               1.0000         1.0000
[レンズ群データ]
群            始面         焦点距離
G1              1             33.54
G2             24            -62.06
G3             26             64.91
G1a             1           -230.72
G1b             5             33.52
【実施例８】
【０１３７】
図３５は、本発明の実施例８の大口径比レンズのレンズ構成図である。実施例８の大口径比レンズは、正の屈折力を有する第１レンズ群Ｇ１と負の屈折力を有する第２レンズ群Ｇ２と正の屈折力を有する第３レンズ群Ｇ３とからなる。
【０１３８】
正の屈折力を有する第１レンズ群Ｇ１は、物体側に凸面を向けた負メニスカスレンズＬ１ａｍ１、両凹レンズＬ１ａｍ２からなる負の屈折力を有する第１ａレンズ群Ｇ１ａと、両凸レンズＬ１ｂｐａ１と、両凸レンズＬ１ｂｐ１と両凹レンズの接合レンズと、両凸レンズＬ１ｂｐａ２と、開口絞りと、両凹レンズと両凸レンズＬ１ｂｐａ３の接合レンズと、両凹レンズと両凸レンズＬ１ｂｐ２の接合レンズと、像側の面が非球面である両凸レンズＬ１ｂｐ３とからなる正の屈折力を有する第１ｂレンズ群Ｇ１ｂとからなる。
【０１３９】
負の屈折力を有する第２レンズ群Ｇ２は、物体側に凸面を向けた負メニスカスレンズからなる。
【０１４０】
正の屈折力を有する第３レンズ群Ｇ３は、物体側に凸面を向けた正メニスカスレンズＬ３ａと、物体側に凸面を向けた負メニスカスレンズＬ３ｂと、両凸レンズＬ３ｃとからなる。
【０１４１】
また、無限遠物体から近距離物体への合焦の際に、第１レンズ群Ｇ１と第３レンズ群Ｇ３は像面に対し固定であり、前記第２レンズ群Ｇ２が像面側へ移動する。
【０１４２】
また、第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
実施例８
単位：mm
[面データ]
面番号       r           d             nd       vd       有効径
1          66.4190       1.0000      1.59349     67.00      33.09
2          21.2764       9.5685                             29.51
3         -71.9949       1.0000      1.43700     95.10      29.20
4          38.7875       3.6527                             29.35
5         198.7629       3.6413      1.59282     68.62      29.91
6         -74.8785       0.4722                             31.50
7          43.8739       9.5301      2.00100     29.13      30.60
8         -32.8069       0.8000      1.75520     27.53      30.20
9         149.0739       4.0165                             28.70
10         182.2015       2.1686      1.59282     68.62      27.41
11        -204.5263       2.1500                             27.15
12（絞り）          ∞       3.8430                             26.00
13         -44.7788       0.8000      1.85478     24.80      25.24
14          31.3219       8.8498      1.49700     81.61      25.67
15         -27.6064       0.1500                             26.57
16         -40.1187       0.8000      1.85478     24.80      26.52
17          70.7937       4.2306      2.00100     29.13      27.87
18         -82.1129       0.1500                             28.28
19          44.2765       6.0378      1.80610     40.73      28.86
20*        -50.8598          d20                             28.45
21         194.5717       0.7000      1.48749     70.44      24.03
22          20.0834          d22                             21.92
23          19.7499       3.6606      1.88300     40.80      20.76
24          44.6531       1.5502                             19.60
25          71.3067       1.2310      1.67270     32.17      19.42
26          17.3460       3.5695                             18.78
27          73.4637       6.9568      1.77250     49.62      19.70
28         -49.5869      11.6923                             20.81
29               ∞       4.0000      1.51680     64.20      21.44
30               ∞         (BF)                             21.57
[非球面データ]
20面
K                0.0000
A4            9.3801E-06
A6           -9.9778E-09
A8            1.9198E-11
A10          -1.3584E-14
[各種データ]
INF           300mm
焦点距離             25.00          24.64
Fナンバー             1.28           1.31
全画角2ω            47.43          46.52
像高Y              10.82          10.82
レンズ全長           104.97         104.97
[可変間隔データ]
撮影距離          INF           300mm
d20              2.0000         5.2352
d22              5.7508         2.5155
BF               1.0000         1.0000
[レンズ群データ]
群            始面         焦点距離
G1              1             23.48
G2             21            -46.00
G3             23             42.95
G1a             1            -25.40
G1b             5             31.43
【０１４３】
条件式対応値
EX1    EX2    EX3    EX4    EX5    EX6    EX7    EX8
条件式
(1）ν１ａｍｉ        68.62  68.62  68.62  68.62  70.44  67.02  68.62  67.00
(2）Ｎ１ｂｐｊ         2.00   1.92   1.92   1.81   1.92   1.92   2.00   2.00
(3）ν１ｂｐ          52.74  57.06  57.08  54.38  55.37  52.78  52.74  55.37
(4）ν１ｂｐａｋ      68.62  81.60  81.60  68.62  68.62  68.62  68.62  68.62
(5）ＥＸＰ／ｆ         3.43   3.68   2.69   5.04   5.67   4.82   1.70   5.91
(6）ＤＳ−２／ＤＳ−Ｉ 0.37   0.42   0.35   0.41   0.39   0.35   0.37   0.40
(7）Ｄ１−１／ＬＴ     0.58   0.59   0.58   0.60   0.59   0.62   0.60   0.60
(8）Ｙｆ１−１／ｆ１   0.31   0.41   0.31   0.38   0.44   0.34   0.41   0.41
(9）ＤＹＦ１／ｆ１     1.30   2.08   1.32   2.06   2.49   3.40   1.33   0.78
(10）ｆ１ｂ／ｆ        1.32   1.03   1.28   1.38   1.24   2.10   0.96   1.26
(11）ｆ１／ｆ          1.25   0.96   1.24   1.01   0.89   1.14   0.96   0.94
(12）｜ｆ２／ｆ｜      2.76   2.61   2.73   2.51   1.81   3.99   1.77   1.84
(13)ｆ３／ｆ           1.80   2.63   1.85   2.17   1.83   2.87   1.86   1.72
(14)｜Ｒ１ｍ／ｆ｜     0.78   0.66   0.75   0.78   0.85   0.81   0.62   0.85
(15)Ｒ３ａ／ｆ         1.19   1.80   1.21   1.07   0.79   3.09   1.56   0.79
【符号の説明】
【０１４４】
Ｓ      ：開口絞り
Ｆ      ：フィルター
Ｉ      ：像面
Ｇ１    ：第１レンズ群
Ｇ２    ：第２レンズ群
Ｇ３    ：第３レンズ群
Ｇ１ａ    ：第１ａレンズ群
Ｇ１ｂ    ：第１ｂレンズ群
Ｌ１ａｍｉ（ｉは任意の数、物体側から１，２，３，，，）  ：レンズＬ１ａｍｉ
Ｌ１ｂｐｊ（ｊは任意の数、物体側から１，２，３，，，）  ：レンズＬ１ａｐｊ
Ｌ１ｂｐａｋ（ｋは任意の数、物体側から１，２，３，，，）  ：レンズＬ１ｂｐａｋ
Ｌ３ａ  ：レンズＬ３ａ
Ｌ３ｂ  ：レンズＬ３ｂ
Ｌ３ｃ  ：レンズＬ３ｃ
Ｃ      ：Ｃ線（波長λ＝６５６．３ｎｍ）
ｄ      ：ｄ線（波長λ＝５８７．６ｎｍ）
ｇ      ：ｇ線（波長λ＝４３５．８ｎｍ）
Ｙ      ：像高
ΔＳ    ：サジタル像面
ΔＭ    ：メリジオナル像面
【図１】
0006753599.tif 000003
【図２】
0006753599.tif 000004
【図３】
0006753599.tif 000005
【図４】
0006753599.tif 000006
【図５】
0006753599.tif 000007
【図６】
0006753599.tif 000008
【図７】
0006753599.tif 000009
【図８】
0006753599.tif 000010
【図９】
0006753599.tif 000011
【図１０】
0006753599.tif 000012
【図１１】
0006753599.tif 000013
【図１２】
0006753599.tif 000014
【図１３】
0006753599.tif 000015
【図１４】
0006753599.tif 000016
【図１５】
0006753599.tif 000017
【図１６】
0006753599.tif 000018
【図１７】
0006753599.tif 000019
【図１８】
0006753599.tif 000020
【図１９】
0006753599.tif 000021
【図２０】
0006753599.tif 000022
【図２１】
0006753599.tif 000023
【図２２】
0006753599.tif 000024
【図２３】
0006753599.tif 000025
【図２４】
0006753599.tif 000026
【図２５】
0006753599.tif 000027
【図２６】
0006753599.tif 000028
【図２７】
0006753599.tif 000029
【図２８】
0006753599.tif 000030
【図２９】
0006753599.tif 000031
【図３０】
0006753599.tif 000032
【図３１】
0006753599.tif 000033
【図３２】
0006753599.tif 000034
【図３３】
0006753599.tif 000035
【図３４】
0006753599.tif 000036
【図３５】
0006753599.tif 000037
【図３６】
0006753599.tif 000038
【図３７】
0006753599.tif 000039
【図３８】
0006753599.tif 000040
【図３９】
0006753599.tif 000041
【図４０】
0006753599.tif 000042